(57)【特許請求の範囲】
【請求項１】
枝を切り木の幹を切ることのできる解体クロスカット装置を、遠隔操作器で送信される遠隔制御により制御して、除去しようとする木の幹に沿って上方に移動させる際、前記解体クロスカット装置の長さを交番的に増したり縮めたりして段階的に、または少なくとも１つのローラ型牽引手段によって移動させ、上昇の際、その途中にある木の枝を切り、前記解体クロスカット装置は、前記遠隔操作器で送信される遠隔制御により制御して、前記木の幹に沿って下降する際、該解体クロスカット装置の長さを交番的に増したり縮めたりして段階的に、または少なくとも１つのローラ型牽引手段によって移動させる立ち木の処理方法において、該方法は、電線に倒れかかった木などの傾いた姿勢にある木の除去については、前記解体クロスカット装置に牽引ロープを固定して該ロープを前記木に引き込み、該牽引ロープによって前記木を牽引して直立にし、または前記電線から離すことを特徴とする立ち木の処理方法。
【請求項２】
請求項１に記載の方法において、前記除去される木の幹は、前記解体クロスカット装置の底部のグリッパおよび該解体クロスカット装置の頂部のグリッパによって交互に把持し、前記底部のグリッパおよび頂部のグリッパは、上昇モードでは前記木の幹の方向において上方に、および下降モードでは下方に、交番的に移送させることを特徴とする立ち木の処理方法。
【請求項３】
請求項２に記載の方法において、上昇モードでは、前記木の幹の方向における前記グリッパの動きは、油圧シリンダまたはスピンドルモータなどの１つ以上の駆動手段で実現し、前記底部のグリッパを前記木の幹に固定するときは前記駆動手段の長さを増し、前記頂部のグリッパを前記木の幹から外し、また前記頂部のグリッパを前記木の幹に固定するときは、前記駆動手段の長さを短縮し、前記底部のグリッパを前記木の幹から外すことを特徴とする立ち木の処理方法。
【請求項４】
請求項２に記載の方法において、下降モードでは、前記木の幹の方向における前記グリッパの動きは、油圧シリンダまたはスピンドルモータなどの１つ以上の駆動手段で実現し、前記頂部のグリッパを前記木の幹に固定するときは前記駆動手段の長さを増し、前記底部のグリッパを前記木の幹から外し、また前記底部のグリッパを該木の幹に固定するときは、前記駆動手段の長さを短縮し、該頂部のグリッパを該木の幹から外すことを特徴とする立ち木の処理方法。
【請求項５】
請求項１ないし４のいずれかに記載の方法において、前記木の幹に対する前記クロスカット装置の把持部の押付けおよび該把持部の前記木の幹からの取り外しは、基本的に線形の動きによって行ない、前記木の幹に向かって前記把持部を動かすために、該互いに対向する把持部は、ガイドで案内されながら、アクチュエータとしてのスピンドルモータで前記木の幹へ基本的に線形に引張られ、この動きは、前記把持部が前記木の幹に対してしっかり押し付けられ、該木に対するその把持が十分な耐力を生ずるまで行ない、同様に、該木の幹からの前記把持部の取り外しは、前記スピンドルモータによる対向する線形の動きで行なわれることを特徴とする立ち木の処理方法。
【請求項６】
請求項１ないし５のいずれかに記載の方法において、電柱に倒れかかった木などの前記傾いた姿勢にある木の除去については、牽引ロープを前記解体クロスカット装置に固定して該ロープを木に引き込み、該牽引ロープによって該木を引張って直立にし、電線から外してから、該木の頂部をチェーンソーなどの前記解体クロスカット装置にある切断手段で切断することを特徴とする立ち木の処理方法。
【請求項７】
請求項１ないし６のいずれかに記載の方法において、前記解体クロスカット装置は、前記除去しようとする木の幹の周りに人力または前記遠隔操作器で制御される移送装置で配置され、前記除去しようとする木にある前記解体クロスカット装置の機能は、前記遠隔操作器で制御することを特徴とする立ち木の処理方法。
【請求項８】
少なくとも解体クロスカット装置を含み、該装置は、フレームと、該解体クロスカット装置を制御して、幹に沿って除去すべき木へ登らせ、また該木から下降させる移動手段と、上昇モードにおいて途中で枝を切る手段と、前記除去すべき木の幹を切る手段とを含み、さらに、前記解体クロスカット装置を前記除去すべき木の幹に固定するグリッパと、該グリッパの間の距離を変える手段、または前記解体クロスカット装置を上昇および下降させる少なくとも１つのローラ様牽引手段とを含む立ち木の処理装置において、前記解体クロスカット装置は、該解体クロスカット装置に牽引ロープを固定する手段を含むことを特徴とする立ち木の処理装置。
【請求項９】
請求項８に記載の処理装置において、前記解体クロスカット装置のフレームの底部には第１のグリッパがあり、該解体クロスカット装置のフレームの頂部には第２のグリッパがあり、前記フレームの長さは、線形動作をする１つ以上の油圧シリンダまたはスピンドルモータなどの駆動手段によって可変であることを特徴とする立ち木の処理装置。
【請求項１０】
請求項８または９に記載の処理装置において、前記解体クロスカット装置は、該装置に容易に着脱可能な１つ以上の充電可能バッテリなどの自装置の電流源を含むことを特徴とする立ち木の処理装置。
【請求項１１】
請求項８、９または10に記載の処理装置において、前記解体クロスカット装置は、登り動作および下降動作に対して基本的に直交する方向にあるガイドを含み、その上には把持部を有する把持アームが配設され、該把持アームは、アクチュエータによって前記ガイドに沿って前記木に向かい、また該木から離れる方向に動くことを特徴とする立ち木の処理装置。
【請求項１２】
請求項８ないし11のいずれかに記載の処理装置において、前記解体クロスカット装置は、鉤トングなどの固定手段と、アクチュエータの手段とを含み、該アクチュエータの手段を作動させると、前記解体クロスカット装置は、例えばロープおよび牽引装置によって処理すべき木を直立させるために該木にしっかり固定できることを特徴とする立ち木の処理装置。
【請求項１３】
請求項８ないし12のいずれかに記載の処理装置において、該装置は制御論理回路を含み、該回路は、前記解体クロスカット装置の底部のグリッパおよび頂部のグリッパで交互に前記木の幹を把持し、前記底部のグリッパと前記頂部のグリッパを前記木の幹の方向に上昇モードでは上方に、また下降モードでは下方に交番的に移送することを特徴とする立ち木の処理装置。
【請求項１４】
請求項９に記載の処理装置において、該装置は制御論理回路を含み、該回路は、前記解体クロスカット装置の底部の第１のグリッパおよび頂部の第２のグリッパで交互に前記木の幹を把持し、第１のグリッパと第２のグリッパを前記木の幹の方向に上昇モードでは上方に、また下降モードでは下方に交番的に移送し、
前記制御論理回路は、前記駆動手段による前記木の幹の方向における前記グリッパの上昇モードにおいて、以下の動きを実現するように該制御論理回路を構成する手段を含み、前記動きにおいて、第１のグリッパを前記木の幹に固定するときは、前記駆動手段の長さを線形に増して、該木の幹から第２のグリッパを外し、また、第２のグリッパを前記木の幹に固定するときは、前記駆動手段の長さを短くして、該木の幹から第１のグリッパを外すことを特徴とする立ち木の処理装置。
【請求項１５】
請求項９に記載の処理装置において、該装置は制御論理回路を含み、該回路は、前記解体クロスカット装置の底部の第１のグリッパおよび頂部の第２のグリッパで交互に前記木の幹を把持し、第１のグリッパと第２のグリッパを前記木の幹の方向に上昇モードでは上方に、また下降モードでは下方に交番的に移送し、
前記制御論理回路は、前記駆動手段による前記木の幹の方向における前記グリッパの下降モードにおいて、以下の動きを実現するように該制御論理回路を構成する手段を含み、前記動きにおいて、第２のグリッパを前記木の幹に固定するときは、前記駆動手段の長さを線形に増して、該木の幹から第１のグリッパを外し、また、第１のグリッパを前記木の幹に固定するときは、前記駆動手段の長さを短くして、該木の幹から第２のグリッパを外すことを特徴とする立ち木の処理装置。
【請求項１６】
請求項９、14または15に記載の処理装置において、前記解体クロスカット装置は、上方を向いた曲状切断ブレードと、上方を向いた曲状剪断ブレードとを含み、該剪断ブレードは、第２のグリッパに接続され、上昇モードにおいて前記解体クロスカット装置の途上で枝を切り離し、該枝を切る力は、前記駆動手段の線形動作から得ることを特徴とする立ち木の処理装置。
【請求項１７】
請求項８ないし16のいずれか記載の処理装置において、前記解体クロスカット装置は、ロボットアーム様に機能する多関節多部品ブーム構体を含み、該ブーム構体の自由端には、チェーンソー、または前記クロスカット装置とともに使用するレンチ、金属切断工具もしくは同等物などの他の何らかの必要な工具などの工具用装着台があることを特徴とする立ち木の処理装置。
【請求項１８】
請求項８ないし17のいずれかに記載の処理装置において、前記解体クロスカット装置は、該解体クロスカット装置における機能を遠隔操作器によって制御する遠隔制御受信器を含むことを特徴とする立ち木の処理装置。
【発明の詳細な説明】
【詳細な説明】
【０００１】
本発明は、立ち木を処理する請求項１に前段に記載の方法および請求項８の前段に記載の装置を対象とする。
【０００２】
本発明による解決策は、とくに、例えば電線に倒れかかった木を解体したり、活線状態の電線の頂部から枝を除去したりするなどの邪魔な木の除去に非常に適している。本発明による解決策はまた、例えば活線状態の電線の上方で電線に近すぎて配電を阻害する恐れのある立ち木を安全な作業方法で除去するような予防的整備などの電線通路の予防的維持管理、保守および保全にも適している。本発明はまた、住宅地や他の密集地に生えた木を除去するのにも非常に適している。また、本発明による解決策は、電線の保守および解体にも利用して、例えば本発明による装置は、樹木ではなく電柱に登って、電柱に支持されている電線を取り外すことができる。
【０００３】
例えば暴風や積雪の重みでも木が電線に倒れかかることがある。活線状態の電線に倒れかかった木を除去する場合、従来技術では、被害区間の電線を配電網から分離し、さらに被害区間の電線を接地することで電流を電線から遮断していた。接地は必ずしなければならないが、これはとりわけ、被害区間を配電網から分離しただけでは、電線に接続されている何らかの小さな発電装置が依然としてその電線に電流を供給することがあるからである。被害区間を配電網から分離しこれを接地することは、非常に労力を要し時間のかかる作業であるため、しばしば忘れがちである。しかし、そうすると、被害区間の復旧に従事する要員は生命を脅かす危険に曝され、これは、活線状態の電線から受ける感電が潜在的に致死的なものであるためである。被害区間の電線を配電網から分離しこれを接地した後、樹木伐採班が出向いて電動鋸や枝切り鋏と、場合によっては特殊工具を使って手作業で木を除去する。この種の従来のやり方における問題点はとりわけ、活線状態の電線から電流を遮断すると、電気を必要とする多くの家庭や農家および他の施設が停電状態におかれることである。電流が遮断されると、この種の停電箇所が数千にもなることがある。停電すれば、電力会社の損害やトラブルだけでなく、人々にも、とくに農業では動物にも、損害や安全上のリスクが生ずる。上述の従来方式には別の問題もある。つまり、感電の恐れ以外の理由でも作業が非常に危険であり、作業中、電線に倒れかかった木を除去する樹木伐採員には、簡単に事故が起こり得る。
【０００４】
従来知られているように、住宅地や他の密集地に生えた木を倒して、例えば倒木要員が木に登ってその頂部から段階的に木を切るようにする。しかしこのやり方には、むしろ作業が遅れ、かつ非常に危険であるという問題がある。また通常は、木に登った要員を補助する人が必要で、切断した枝や幹の断片を安全に地上まで誘導する。
【０００５】
フィンランド特許番号FI115501 (B)は、米国特許番号US7591292 (B2)に対応するが、立ち木の解体装置および解体方法を提示している。その方式は、林業機械などの電動工具の多関節ブームの末端に取り付けられたフレーム部と、フレーム部に接続された別個の枝切りヘッドとを含むものである。枝切りヘッドは、木の幹に沿って上昇し、木に登るとともに、必要ならば頂部から枝を切り始める。この装置は、歯車と蛇腹型緊締装置を有し、非常に複雑である。その部品点数が多いので、故障もし易い。切った枝や幹の断片が直接、木の幹の周りのフレーム部の下方に落下することがあり、これを損傷することがあるという別の問題がある。この公報はまた、電線の頂部に倒れかかった木の除去については、何ら記載されていない。それが分かるのは、装置がこの種の作業に全く適していないからである。フレーム部および枝切りヘッドは、直立した木の幹に配置できるにすぎず、倒れたり傾いたりした幹には配置できない。このフィンランド特許は、林業機械のブーム系へのフレーム部の取付けについて、フレーム部を所望の方向に回転させる回り継手でフレーム部をブーム系に取り付け、これによって互いに密集して横や前後に並んだ立ち木を簡単に解体できることを述べているにすぎない。傾けることは記載がない。この特許はまた、倒木を直立できる方法を提供していない。
【０００６】
ドイツ特許公報番号DE3702760 (A1)にも、直立した木に登る枝切り降ろし装置が提示されている。木に登る装置の一部分には無限軌道型のモータ制御手段が設けられ、この制御手段は、木の表面に載置され、移動しながら枝切りヘッドを垂直方向に動かす。この公報もまた、電線の頂部に倒れかかった木の除去については何ら記載がないし、この装置もそのような作業には適してすらない。さらに、この公報も電線に倒れかかった木を起こせるような解決策を提示していない。
【０００７】
本発明のひとつの目的は、上述の欠点を解消するとともに、安価で簡略、迅速で安全な立ち木の処理方法および装置を達成することである。本発明の目的はまた、電線や他の不適切な場所に倒れかかった木、および密集地の立ち木を簡単に解体し、切断し、除去することのできる方法および装置を達成することである。本発明による方法は、請求項１の特徴段に提示の事項を特徴とする。同じく、本発明による装置は、請求項８の特徴段に開示の事項を特徴とする。本発明の他の実施例は、他の請求項に開示の事項を特徴とする。
【０００８】
本発明による解決策のひとつの利点は、これを使えば、電線に倒れかかった木を活線状態の電線から電流を遮断せずに除去できることである。本方法が安全であることも別な利点である。それは、遠隔操作で作業を行なうことができ、そうすれば要員が電線に近付きすぎる必要もないからである。電線に倒れかかった木を電線から外してから木を切断することができるのも別な利点である。そうすれば、電線は木の除去による損傷を受けず、また電気が木を通って地中へ流れることもない。さらに、本発明による装置は軽いので、必要な場所に手でこれを持ち運ぶことができるのも別な利点である。そうすれば、不都合な場所に迷惑を与える立ち木を除去できる。本発明による方法および装置によれば、住宅地や他の密集地に生えた木を迅速かつ安全に除去できるのも別な利点である。
【０００９】
以下に、添付図面を参照して本発明の実施態様の例を挙げて本発明をさらに詳細に説明する。
【図面の簡単な説明】
【００１０】
【図１】電線に倒れかかった木を本発明による方法および装置で除去する状況を示す図である。
【図２】本発明による木登り装置を斜め横上方から見た図である。
【図３】本発明による木登り装置を斜め後上方から見た図である。
【図４】本発明による木登り装置の頂部を斜め横上方から見た図であり、横引きノコがひとつの位置にある。
【図５】本発明による木登り装置の頂部で横引きノコが第２の位置にある状態を斜め横上方から見た図である。
【図６】本発明による木登り装置の部分断面前面図である。
【図７】本発明による木登り装置の側面図である。
【図８】本発明による木登り装置が上昇モードまたは下降モードにある状態を斜め横前方から見た図である。
【図９】本発明による木登り装置のひとつの状態を示す頂面図である。
【図１０】図８の状態にある本発明による木登り装置の頂面を示す図である。
【図１１】本発明による木登り装置の第２の実施例を斜め横上方から見た図である。
【発明を実施するための形態】
【００１１】
図１は、木が電線に倒れかかり本発明による方法および装置でこれを除去しようとしている状況を示す。本発明による解体クロスカット装置１を電線に倒れかかった木の幹に取り付ける。解体クロスカット装置は、木の幹に沿って上昇し、上昇するにつれ、その途中や最後にある木の枝を、また必要に応じて適当な箇所で木の枝を切り落とし、また降りる際にも、必要に応じて適当な箇所で木の幹の切断もするように構成されている。以下、短縮形「クロスカット装置１」で解体クロスカット装置１を示す。図１に記載の状況では、クロスカット装置１は電線の頂部に倒れかかった木の幹に沿って上昇するところである。クロスカット装置１は、人力または特殊遠隔操作移送装置によって木の幹に装着するが、後者は図示されていない。遠隔操作移送装置は、木を除去するのに電線から電流を遮断する必要のないことを意味する。なぜなら、要員は常に電線から安全距離を保つことができるからである。遠隔操作する移送装置は、他のアクチュエータの他に作業灯やビデオカメラを有し、これらによってどんな状況でもクロスカット装置１を遠隔操作で木の幹の意図する位置に正確に配置することができる。
【００１２】
クロスカット装置１は、油圧駆動源２に油圧ホース３によって接続されている。また、例えば発電機やバッテリパックなどの電流源４が油圧駆動源２に搭載されている。電流源４は電気ケーブル５によってクロスカット装置１に接続されている。電気ケーブル５に沿って電気を必要とする制御系、作業灯、および場合によってはビデオカメラなどのクロスカット装置１の各部は、必要な制御電流および作動電流を電流源４から受ける。移送装置およびクロスカット装置１は、本システムに属する操作器６によって遠隔操作で制御される。クロスカット装置１の構成および各部は、以下、図面に詳細に提示されている。
【００１３】
クロスカット装置１は、鋼製ロープ７または牽引ロープとして機能する同様のロープを接続する固定点を有する。クロスカット装置１は、このロープを自身とともに幹に沿って引き上げる。クロスカット装置１が十分高く上昇すると、クロスカット装置１を木の幹の周りにしっかり固定し、ロープ７と滑車装置８などの何らかの適当な牽引装置によって木を電線から外して直立させる。ロープ７はこの場合、クロスカット装置１にある牽引ラグまたは牽引フックなどの固定点から外さない。牽引中、滑車装置８は、例えば牽引で生ずる応力に耐えるような立ち木９に固定されている。この後、除去すべき木の幹の頂部をクロスカット装置１内のチェーンソーによって切り離す。必要ならば、クロスカット装置１は、下降しながら木の幹をいくつかの適当な寸法の断片に切断するが、最終的な倒木や切断は後ほどでも行なうことができる。
【００１４】
携帯型操作器６は少なくとも、無線送信器を備えた無線機と、クロスカット装置１、移送装置および油圧駆動源２の各機能を遠隔操作で制御するそれぞれの制御装置とを含む。また、操作器６はディスプレイを有し、これによって、操作器６の使用者は、なかんずく移送装置やクロスカット装置１にあるビデオカメラの撮影した映像をモニタすることができる。移送装置のビデオカメラの映像をモニタすることで、遠隔操作器６の使用者は、移送装置を使って木に対してクロスカット装置１を操作し、クロスカット装置１を木の幹に遠隔操作で取り付けることができる。クロスカット装置１のカメラの映像をモニタすることで、木の幹におけるクロスカット装置の進行を逐次、モニタすることができる。
【００１５】
図２は、本発明によるひとつの木登りクロスカット装置１を示す。装置１は、少なくともフレーム10を有し、これは、横方向後方支持体10aと、下方支持体11および11aと、上方支持体12および12aも含む。また、フレーム10は２本の垂直支持体を有し、これらは、下方部分として下部グリッパ16用のヒンジ軸を形成する円柱状支持アーム17と、該支持アーム17の上方延伸部としての入れ子型支持アーム13および14と、前記支持アーム17の更なる上方延伸部としての第２の円柱状支持アーム21とを含む。この支持アーム21は、同時に上方グリッパ20用のヒンジ軸も形成している。横方向支持体12a〜12bは、垂直支持体13、14、17および21とともにクロスカット装置１を支持するフレーム10を形成している。このフレームの頂部19の底部15からの距離は、入れ子型アーム13および14によって可変であり、その全長は、位置センサ13aおよび14aを使って制御される。
【００１６】
下部グリッパ16は下部円柱状支持アーム17にヒンジ結合されている。下部グリッパは少なくとも、クロスカット装置１から後方に向かうヒンジアーム16aと、クロスカット装置１から前方に向かう内方曲状把持アームとからなり、把持アームは木の幹の周りに押圧される。互いに対向する２本の下方グリッパ16があり、それらは、フレーム10に対して互いに高さ位置が異なり、閉じた位置では、互いに対向する把持アーム16bが上方から見ると互いに重なるようになっている。線形動作を行なう油圧シリンダなどの駆動手段18は、下部グリッパ16のヒンジアーム16aを連結し、駆動手段は、遠隔操作器6によってグリッパ16の曲状把持アーム16bを互いに近付けたり離したりするように動かし、すなわち空間を形成する曲状把持アーム16bを同時に綴じたり開いたりする。
【００１７】
同様に、上部グリッパ20は、上部円柱状支持アーム21にヒンジ結合され、このグリッパは、下部グリッパ16と形状、構造および関節が基本的に同じである。線形動作を行なう駆動手段22は、図２には示していないが、上部グリッパ20のヒンジアームを連結している。駆動手段は、例えば油圧シリンダであり、これは、遠隔制御操作器６によってグリッパの曲状把持アームを互いに近付けたり離したりするように動かすように構成され、その様子は、駆動手段18が下部グリッパ16の把持アーム16bを動かすのと同じである。
【００１８】
上部グリッパ20の曲状把持アームの頂縁部は剪断ブレード20aであり、これを使ってクロスカット装置１は、上方に登るときにその途中にある木の枝を切り落とす。また、クロスカット装置１の頂部は第３の曲状切断ブレード23を有し、その頂縁部は、グリッパ20の曲状把持アームの頂縁部と同様の剪断ブレードを含んでいる。剪断ブレード23は、例えばフレーム10の横方向支持体12aに固定され、その固定位置は、把持アーム20の剪断ブレード20aとともに切断ブレード23の剪断ブレードが木の幹の周囲を実質的に少なくとも一周する円を形成するような位置である。そうすれば、木の剪断ブレードは、クロスカット装置１が木に沿って上昇するときに、どの方向に伸びる木の枝も切り落とすことができる。
【００１９】
クロスカット装置１の頂部はさらに、多関節クロスカットユニット24を有し、これは少なくとも、クロスカット手段として機能するチェーンソーなどの油圧ノコと、油圧シリンダ25aおよび27や回転軸26やレバーアーム26aなどのチェーンソー25を移送位置や様々なソーイング位置に回動させるアクチュエータとを含む。クロスカットユニット24は、木の幹を切断するためのものであるが、必要ならば太い枝もこれできることができる。
【００２０】
図３は、図２に示す木登りクロスカット装置１の斜め後方図である。図３には、図２にはないいくつかの部分が示されている。そのようなひとつの部分は制御箱28であり、これは他の図にはなく、クロスカット装置１の後側でフレーム10に取り付けられている。クロスカット装置１の制御および動作に必要な油圧弁や他の制御論理回路と遠隔制御受信器その他などの所要電子回路などの構成要素の大部分は、制御箱28の内部に組み込まれている。油圧駆動源２とクロスカット装置１の間の油圧ホース３や電気ケーブル５は、まずクロスカット装置１のフレーム10にある支持点で固定され、そこから制御箱28に張力なしで配線されている。固定点および油圧コネクタは図に示されていない。
【００２１】
また、クロスカット装置１の後方には、支持点、例えば上部横方向後方支持体10aに固定された牽引ラグ30または同様のものがある。牽引ラグには、牽引ロープとして機能する鋼製ロープ７が固定されてロープの端部を木へ引き込み、クロスカット装置１が木を起こす準備ができると、木を直立させる。
【００２２】
図４および図５は、本発明によるひとつのクロスカット装置１の頂部にクロスカットユニット24を備えた状態を示す。図４では、チェーンソー25は木の幹を切れる状態にある。ここで、チェーンソー25を油圧シリンダ27によって移送位置からソーイング位置に回動させる。ソーイング位置では、チェーンソー25のブレード29が木の幹を横断する方向にある。つまり、図５では、チェーンソー25のブレード29は、木の幹を切り終えた位置にある。この場合、油圧シリンダ25aによってブレード29は、木の幹を横切る平面上で回動しきっている。ソーイング機能はバネ負荷方法で実現することもでき、その場合、油圧シリンダ25aは、ノコ引き後、ソー25をその初期位置に戻すためのみに必要である。
【００２３】
図６には、本発明によるクロスカット装置１の前面側が一部断面で、また一部簡略化して示されている。各入れ子型支持アーム13および14の内側にはアクチュエータとして線形動作をする油圧シリンダ31があり、そのシリンダのピストンロッドの第１の端部は、クロスカット装置１の底部にある円柱状支持アーム17に固定され、また、そのシリンダのシリンダ部の第２の端部はクロスカット装置１の頂部にある円柱状支持アーム21に固定されている。したがって、クロスカット装置１の頂部19と底部15の間の距離、また同時に上部グリッパ20と下部グリッパ16の間の距離は、可変である。駆動手段として機能する油圧シリンダ31の長さを増すことによって、上部グリッパ20の底部グリッパ16からの距離も同時に増す。また、油圧シリンダ31の長さを短くすることによって、上部グリッパ20の底部グリッパ16からの距離も同時に減少する。このようにして、木の幹の方向における段階状の動きが得られ、この動きによってクロスカット装置１は、その長さを段階的に変えて木を登り、また木から降りる。提示した２本の油圧シリンダ31に代わって本装置は、例えば装置の中心線上で線形移動できるような油圧シリンダを１本だけ設けることもできる。
【００２４】
図７は、本発明によるクロスカット装置１の側面側を一部断面で、また一部簡略化して示す。図７では、フレーム10の長手方向において、下部グリッパ16が互いに異なった位置にあり、また上部グリッパ20も互いに異なった位置にある様子が分かる。このようにして各グリッパは、互いに重なることができる。
【００２５】
図８ないし図10には、本発明によるクロスカット装置１が一部簡略化して示され、これは、例えば木を垂直位置に引張るために、木登り位置にあって木の幹にしっかり固定されている。図８および図10は木登り状況を示し、クロスカット装置１は、その上部グリッパ20によって細い木の幹に固定され、下部グリッパ16は緩んだ状態で木の幹に接している。この状態で下部グリッパ16は、木の幹に沿って状況に応じて上昇または下降することができる。そこで、図９に記載の状態では、クロスカット装置１は、中程度の太さの木に上部および下部グリッパを巻き付けて固定されている。そこで、クロスカット装置１はしっかりとその位置にとどまり、電線に倒れかかった木を、例えば直立させることができる。
【００２６】
上述の油圧アクチュエータはすべて、または少なくともそれらの一部は、例えばスピンドルモータなどの電動アクチュエータであってもよい。また、地上にある油圧駆動源２や電流源４に代わって、クロスカット装置１に自装置用の充電式電流源を設けてもよく、これは、クロスカット装置１に搭載されクロスカット装置１とともに木に移動する１つ以上のアクチュエータなど、クロスカット装置１の全アクチュエータに給電する。このようにすれば、クロスカット装置１は遠隔操作により無線で、かつホースなしで作動することができる。
【００２７】
図11は、本発明による第２の好ましい木登り装置を示し、これは非常に軽量である。この実施例では、本発明による軽量クロスカット装置１は、後面側から見たもので、一部単純化してある。
【００２８】
クロスカット装置１は、少なくともフレーム32を有し、これは、底部35および頂部36と、頂部および底部の間にあって木の登り降り移動の方向にあるガイド34とを含んでいる。また、クロスカット装置１は、駆動源33として機能するスピンドルモータを含み、これによって底部35と頂部36の間の距離を上昇モードと下降モードで変えることができ、既述したのと実質的に変わりなくクロスカット装置１の階段状、すなわち反復的動きを形成することができる。底部と頂部の間の距離は、上昇モードおよび下降モードにおいて、例えばこの目的に適った位置検出器によって制御できる。登り移動および降り移動は上述したのと基本的に同様である。
【００２９】
携行用ハンドル37もクロスカット装置１のフレーム32に取り付けられている。このハンドルによってこの軽量構造の装置を携行することができ、また多関節多部品ブーム構体32aがロボットアーム様に機能する。ブーム構体32aの自由端には、チェーンソー25、またはクロスカット装置１とともに使用するレンチ、金属切断工具等の他の何らかの必要な工具などの工具用装着台32bがある。また、クロスカット装置１の頂部は、鉤状トングなどの固定手段41を含み、これを使ってクロスカット装置１は、処理すべき木にしっかり固定でき、例えばロープ７および牽引装置８を使って木を引いて直立させる。鉤状トング41は、例えばスピンドルモータなどのそれ用のアクチュエータによって作動し、好ましくは、緊締環または牽引フック等の手段が鉤トング41に配設され、ロープ７をクロスカット装置１に固定する。
【００３０】
クロスカット装置１の底部35は２本の把持アーム38aを含み、これらは、基本的に互いに類似しているが、互いに反対方向に動く。同様に、頂部36は２本の把持アーム38bを含み、これらは、基本的に互いに類似しているが、互いに反対方向に動く。こうして、クロスカット装置１は木の登り降り動作をすることができる。把持アーム38aおよび38bはいずれも支持ステム部40を含み、これは、底部および頂部においてガイド35b、36bに配設されている。これらのガイドは、クロスカット装置１の登り降り移動の方向に実質的に直交する方向、すなわち実際にはしばしば水平方向に配設されている。フレーム32の底部35は、把持アーム38aを互いに接近させるアクチュエータ35aとして機能するスピンドルモータを含み、またフレーム32の頂部36は、把持アーム38bを互いに接近させるアクチュエータ36aとして機能するスピンドルモータを含む。把持アーム38a、38bの自由端にはグリッパ39があり、その内面は曲状粗面であり、グリッパの木または柱に対する把持をできるだけ強固にするようになっている。
【００３１】
図11に記載のクロスカット装置１は、好ましくは、例えば１台以上のバッテリからなるバッテリパックなどの自装置用充電式電流源42を含み、これを使ってクロスカット装置１は、木に登ったり木から降りたりし、また遠隔操作により上述の必要な手順をすべて行なう。電流源42は、例えば別途、作業現場に運ぶことができ、クロスカット装置１に容易かつ迅速に取り付けることができる。装置自体の電流源42に代えて、またはこれに加えて、クロスカット装置１は、地上設置の油圧駆動源２や上述のスピンドルモータなどの電流源４を備えていてもよく、または上述のアクチュエータの少なくとも一部は、油圧式でもよい。
【００３２】
図11に記載のクロスカット装置１は、上述したものと基本的に同様の制御箱28を含み、クロスカット装置１は、既述のものと基本的に変わりなく遠隔制御操作器６を使って操作できる。制御箱28は、例えば論理回路・無線機を含み、これによってすべての制御コマンドを無線で与えることができる。しかしまた、有線制御も使用できる。また、クロスカット装置１は、有線または無線ビデオカメラおよび作業灯を含み、これらは既述のように動作する。
【００３３】
図11に記載のクロスカット装置１は、先に述べたクロスカット装置に対して、立ち木または柱を把持するグリッパ39にアクチュエータの動きを伝達するヒンジが構造内に含まれていないという利点を有する。
【００３４】
図11に記載のクロスカット装置１では、把持部39を木の幹に押圧し、また木の幹から外したりすることは、本質的に線形な動作で行なわれる。そこで、例えば下部把持部39を木の幹に向かって動かすには、互いに向かい合うグリッパ38aはそれらの把持アーム40とともに、アクチュエータとして機能するスピンドルモータ35aによって木の幹の方へ線形に引張られながら、線形ガイド35bによって案内され、これは、把持部39が木の幹にしっかり押し付けられ、その木への把持が十分な耐力を生ずるまで行なわれる。同様に、把持部39を木の幹から外すこともスピンドルモータ35aによって反対方向の線形動作で行なわれる。上部グリッパ38bは、その把持部39およびステム部40とともに、同じくガイド36bで案内されてスピンドルモータ36aで線形に動く。
【００３５】
本発明による方法では、迷惑を与える立ち木を、例えば次のようにして除去する。すなわち、クロスカット装置１を人力またはそれ用に適した移送装置で立ち木まで運搬し、これを木の幹の傍らから幹の周りに配置する。その際、グリッパ16、20、39を開放位置にしてクロスカット装置１をグリッパ16、20、39で前方へ木の幹に押し付け、この後、少なくとも下部グリッパ16、39を木の幹に固定する。この後、木登りコマンドを遠隔操作器６からクロスカット装置１に与える。そこでクロスカット装置１は、所定の制御論理と動作論理に応じて木を登ることになるが、上部グリッパ20、39が幹に固定されていたならば、まずこれを幹から緩める。
【００３６】
この後、クロスカット装置１のフレーム10、32の長さを増すが、これは、入れ子型支持アーム13、14と駆動手段として機能する油圧シリンダ31またはスピンドルモータ33を使用して行なう。こうして、上部グリッパ20、39と下部グリッパ16、39の間の距離が増す。この距離が最大、または、そうでなければ例えば検出器13a、14aで決まる正規の位置にあれば、上部グリッパ20、39は木の幹に固定され、また下部グリッパ2039は木の周りから緩められる。その後、クロスカット装置１のフレーム10、32の長さは、入れ子型支持アーム13および14によって、また油圧シリンダ31もしくはスピンドルモータ33によって短縮される。そこで、上部グリッパ20、39と下部グリッパ16、39の間の距離が縮まる。この距離が最小、または、そうでなければ例えば検出器13a、14aで決まる正規の位置にあれば、下部グリッパ20、39は木の幹に固定され、また上部グリッパ16、39は木の幹から緩められる。このようにして木登りを段階的に進めるとともに、所望の高さに達するまで、途中、剪断ブレード20aおよび切断ブレード23を使って、またはチェーンソー25を使って枝を切り落とす。
【００３７】
クロスカット装置１が所望の高さになると、立ち木の頂部をチェーンソー25で切り離し、頂部を木の根元に落とすことができる。この後、木から降りる旨のコマンドを遠隔操作器６からクロスカット装置１へ与え、必要ならば、降りる途中で木の幹からチェーンソー25で所望の寸法の断片を切り取る。この断片も木の根元に落とすことができる。
【００３８】
上述の手順は、例えば住宅地の密集地から木々を除去するのに良好に使用される。斜めの角度で電線に倒れかかった木を除去するには、これとは少し違った方法を本発明に従って使用するのがよい。クロスカット装置１を木の幹に配置し、木登りをさせ、枝を切り落とすのは、前に述べたのと同じようにして行なう。ここで違うのは、木を直立させるために、クロスカット装置を下に置いたまま、鋼製ロープ７または同様のロープをクロスカット装置上の牽引フック30に固定し、そのロープの自由端を、例えば滑車装置８に接続し、これをさらに、ある支持点、例えば十分に強い立ち木９に固定することである。クロスカット装置１は、木登りの際。ロープ７を木に引き込み、クロスカット装置１が所望の高さまで登ると、電線に斜めに倒れかかった木を滑車装置８とロープ７によって真直ぐに引き上げ、その後、木の頂部をチェーンソー25で切り離す。下降する際、所望に応じて木の幹を短片に切断する。
【００３９】
本方法では、クロスカット装置１は、遠隔操作器６を使って操作するが、これは、クロスカット装置１にあるビデオカメラのビデオ映像と、必要に応じて作業灯を補助的に使用するのは、前に説明した通りである。
【００４０】
当業者に明らかなように、本発明は上述の実施例のみに限定されず、以下の特許請求の範囲内で可変である。したがって、例えば本方法の動作モードは、上述のものと相違しても、また異なった順序でもよい。
【００４１】
さらに当業者に明らかなように、本装置は上述のものと構造が相違してもよい。
【００４２】
やはり当業者に明らかなように、本装置は、立ち木に沿ってだけでなく、あらゆる柱状構造物に沿って登るように構成してもよい。したがって、例を挙げれば本装置は、例えば電線や照明灯柱に沿って、または例えば様々な梁構体に沿って登るように構成してもよい。また、本装置は、柱状物の上で行なうさまざまな作業用のさまざまな工具を担持してもよい。
【図１】
0005952300.tif 000002
【図２】
0005952300.tif 000003
【図３】
0005952300.tif 000004
【図４】
0005952300.tif 000005
【図５】
0005952300.tif 000006
【図６】
0005952300.tif 000007
【図７】
0005952300.tif 000008
【図８】
0005952300.tif 000009
【図９】
0005952300.tif 000010
【図１０】
0005952300.tif 000011
【図１１】
0005952300.tif 000012